(57)【要約】【課題】空気処理装置の着脱を容易にして清掃やメンテナンスを行いやすい空気処理装置を提供すること。【解決手段】このイオン発生装置１は、支持ベース部２とイオン発生ユニット３とで構成される。支持ベース部２は、建物の外部から内部に空気を送る換気装置４の室内配風用の通路となる通路壁ＡＷに固定的に取付けられる。支持ベース部２は換気装置４側のリード線Ｌ１，Ｌ２と固定的に接続される第１の端子５を有する。イオン発生ユニット３は支持ベース部２に対して脱着可能に取り付けられ、第１の端子５と接触接続される第２の端子６を備える。イオン発生ユニット３は、第１の端子５及び第２の端子６からの給電により正イオン及び負イオンを発生させるイオン発生素子７を備えており、このイオン発生素子７のイオン発生面８からイオンを発生させる。支持ベース部２とイオン発生ユニット３とは、互いに掛止により再脱着可能な掛止機構９を備えている。【選択図】  図１
2005172275.tif 000002
【特許請求の範囲】
【請求項１】
空気の通路を構成する固定部材に取り付けられ、前記固定部材に取り付けられる電線と接続される第１の端子を有するベース部と、
該ベース部への装着時に前記第１の端子と接続される第２の端子を備え、前記第１、第２の端子からの給電により前記空気を清浄化する空気処理ユニットとを備え、
該空気処理ユニットと前記ベース部とは、互いに再脱着可能な掛止機構を備えていることを特徴とする空気処理装置。
【請求項２】
空気の通路を構成する固定部材に取り付けられ、前記固定部材に取り付けられる電線と接続される第１の端子を有するベース部と、
該ベース部への装着時に前記第１の端子と接触接続される第２の端子を備え、前記第１、第２の端子からの給電により前記空気の通路側に露出するイオン発生面からイオンを発生させるイオン発生ユニットとを備え、
前記ベース部と前記イオン発生ユニットとは、互いに再脱着可能な掛止機構を備えていることを特徴とするイオン発生装置。
【請求項３】
請求項２のイオン発生装置において、前記掛止機構は、前記イオン発生ユニットか前記ベース部の何れか一方に形成される爪部と、前記イオン発生ユニットか前記ベース部の何れか他方に形成され、前記爪部が掛け止められる被掛止部とで構成され、前記爪部と前記被掛止部とが互いに当接するように付勢される一方、前記爪部と前記被掛止部とが当該付勢力に抗して離間可能に設けられていることを特徴とするイオン発生装置。
【請求項４】
請求項１の空気処理装置若しくは請求項２，３の何れかのイオン発生装置の何れかを備えていることを特徴とする空調装置。
【請求項５】
請求項１の空気処理装置若しくは請求項２，３の何れかのイオン発生装置若しくは請求項４の空調装置の何れかを備えていることを特徴とする建物。
【発明の詳細な説明】
【技術分野】
【０００１】
本発明は、例えば空気清浄機や換気装置或いは空気調和装置その他の空気処理装置及びイオン発生装置並びに空調装置（換気装置を含む）並びに建物に関する。
【背景技術】
【０００２】
近時、空気清浄機にイオン発生装置を取り付けたものが市販されている（例えば、特許文献１、２参照。）。
【０００３】
この特許文献１に開示されるものは空気調和器であり、筐体に設けた吹出口近傍にイオン発生部を設け、このイオン発生部は筐体又は筐体にとりつけた蓋体に穴部を設けると共に、該穴部の内面に対向して負イオン発生用の放射電極を位置させ、前記穴部周囲の筐体又は蓋体の内面に接触するバネ状導通片によりアースした構成を有するものである。
【特許文献１】特開平１１−７２２４０号公報
【特許文献２】特開２００３−４５６１１号公報
【発明の開示】
【発明が解決しようとする課題】
【０００４】
ところで、イオン発生装置の表面に粉塵や埃が付着した場合には、イオン発生効果が低下してしまうので、これを一定の期間ごとに清掃するのが望ましい。
【０００５】
しかしながら、上述の空気調和装置などでは、イオン発生装置の電極と電圧の制御回路との接続上容易に脱着できないので、清掃やメンテナンスを行い難いという問題があった。
【０００６】
本発明は、このような課題に着目してなされたものであり、空気処理装置の着脱を容易にして清掃やメンテナンスを行いやすい空気処理装置及びイオン発生装置、空調装置並びに建物を提供することを目的とする。
【課題を解決するための手段】
【０００７】
上記課題を解決するために、本願の第１の空気処理装置は、空気の通路を構成する固定部材に取り付けられ、前記固定部材に取り付けられる電線と接続される第１の端子を有するベース部と、該ベース部への装着時に前記第１の端子と接続される第２の端子を備え、前記第１、第２の端子からの給電により前記空気を清浄化する空気処理ユニットとを備え、該空気処理ユニットと前記ベース部とは、互いに再脱着可能な掛止機構を備えていることを特徴とする。
【０００８】
本願の第１のイオン発生装置は、空気の通路を構成する固定部材に取り付けられ、前記固定部材に取り付けられる電線と接続される第１の端子を有するベース部と、該ベース部への装着時に前記第１の端子と接触接続される第２の端子を備え、前記第１、第２の端子からの給電により前記空気の通路側に露出するイオン発生面からイオンを発生させるイオン発生ユニットとを備え、前記ベース部と前記イオン発生ユニットとは、互いに再脱着可能な掛止機構を備えていることを特徴とする。
【０００９】
本願の第２のイオン発生装置は、上記第１のイオン発生装置において、前記掛止機構は、前記イオン発生ユニットか前記ベース部の何れか一方に形成される爪部と、前記イオン発生ユニットか前記ベース部の何れか他方に形成され、前記爪部が掛け止められる被掛止部とで構成され、前記爪部と前記被掛止部とが互いに当接するように付勢される一方、前記爪部と前記被掛止部とが当該付勢力に抗して離間可能に設けられていることを特徴とする。
【００１０】
本願の空調装置は、上記第１の空気処理装置若しくは上記第１，第２の何れかのイオン発生装置を備えていることを特徴とする。
【００１１】
本願の建物は、請求項１の空気処理装置若しくは請求項２，３の何れかのイオン発生装置若しくは請求項４の空調装置の何れかを備えていることを特徴とする。
【発明の効果】
【００１２】
本願の第１の空気処理装置によれば、空気処理ユニットとベース部とが再脱着可能とされているので、空気処理ユニットのみを取り外して清掃やメンテナンス或いは交換を行うことができ、再装着も容易である。
【００１３】
本願の第１のイオン発生装置によれば、イオン発生ユニットとベース部とが再脱着可能とされているので、イオン発生ユニットのみを取り外して清掃やメンテナンス或いは交換を行うことができ、再装着も容易である。
【００１４】
本願の第２のイオン発生装置によれば、爪と被掛止部とで掛止機構が構成されるので、機構も簡単であり、低コストである。
【００１５】
本願の空調装置及び建物によれば、空気処理装置或いはイオン発生装置の脱着が容易であるので、イオン発生装置を取り外しての清掃若しくはメンテナンスが容易である。
【発明を実施するための最良の形態】
【００１６】
以下、本発明を実施するための最良の形態を図面に基づいて説明する。
【００１７】
図１は、本発明を実施するための最良の形態を示す。符号１は空気処理装置としてのイオン発生装置であり、このイオン発生装置１は、支持ベース部２とイオン発生ユニット３（空気処理ユニット）とで構成される。支持ベース部２は、建物の外部から内部に空気を送る換気装置４の室内配風用の通路となる通路壁ＡＷに固定して取付けられる。支持ベース部２は換気装置４側のリード線（電線）Ｌ１，Ｌ２と固定的に接続される第１の端子５を有する。空気処理ユニットはマイナスイオンを発生するイオン発生装置でも良く、光触媒装置であっても良い。
【００１８】
イオン発生ユニット３は、支持ベース部２に対して脱着可能に取り付けられ、第１の端子５と接触接続される第２の端子６を備える。イオン発生ユニット３は、第１の端子５及び第２の端子６からの給電により正イオン及び負イオンを発生させるイオン発生素子７を備えており、このイオン発生素子７のイオン発生面８からイオンを発生させる。
【００１９】
すなわち、イオン発生ユニット３内にイオン発生素子（図示せず）が配置され、イオン発生素子がプラズマ放電することによって、空気中の水蒸気がイオン化され、略同量のプラスイオンとマイナスイオンとが生成され、イオン発生装置１によって、空調装置を通して各室内に供給される。詳細には、プラスイオンは、水素イオン（Ｈ+）の周囲に複数の水分子が付着したクラスターイオンであり、Ｈ+（Ｈ2Ｏ）ｍ（ｍは自然数）として表される。又、マイナスイオンは、酸素イオン（Ｏ2-）の周囲に複数の水分子が付着したクラスターイオンであり、Ｏ2-（Ｈ2Ｏ）ｎ（ｎは自然数）として表される。これらのプラスイオン及びマイナスイオンは空調装置を介して室内に供給された後、室内の浮遊物（粒子、細菌）に凝集して相互に化学反応し、活性物質としての過酸化水素Ｈ2Ｏ2又は水酸基ラジカル・ＯＨとなり、酸化反応により浮遊粒子を不活性化し、又浮遊細菌を殺菌する。これにより、室内の空気が清浄化される。外気を直接導入する換気装置４については、外気に含まれる浮遊細菌を殺菌し、殺菌した外気を室内に供給すると共に、室内に含まれる浮遊細菌を殺菌することにより、室内空気の清浄化が図られる。
【００２０】
支持ベース部２とイオン発生ユニット３とは、互いに掛止により再脱着可能な掛止機構９を備えている。
【００２１】
掛止機構９は、支持ベース部２に形成される一対の爪部１０と、イオン発生ユニット３の側面部に形成される被掛止部としての一対の凹部１１とで構成され、一対の爪部１０は一対の凹部１１の奥壁部に当接するように付勢される一方、一対の爪部１０は凹部１１から付勢力に抗して離間可能に弾性力を有する金属板又は樹脂製部材からなる。
【００２２】
通路壁ＡＷのイオン発生体１を取り付ける部位には開口部１２が形成されており、この開口部１２の奥部に固定部材となる取付枠１３が一体に形成されている。この取付枠１３に支持ベース部２が挿入されており、支持ベース部２に設けられた回動可能な爪部材１４は取付枠１３の掛止穴１５に掛け止められている。爪部材１４はピン１４Ｃに軸止されて支持ベース部２に支持されており、図示しない弦巻バネ等により取付枠１３に接触する方向に付勢されている。取付枠１３の下側から支持ベース部２を装着すると、爪部材１４の爪１４Ａが掛止穴１５に入り込んで支持ベース部２が取付枠１３に支持される。爪部材１４の下端部１４Ｂは支持ベース部２の下方に突出しており、一対の下端部１４Ｂ同士を近づけると、爪１４Ａが掛止穴１５から離脱して、支持ベース部２は取付枠１３から容易に着脱可能とされる。支持ベース部２を取付枠１３から取り外すと、イオン発生ユニット３を爪部１０の付勢力に抗して離脱させることができることとなり、イオン発生ユニット３の交換や清掃或いはメンテナンスが容易なものとなる。
【００２３】
また、支持ベース部２内には商用電源に接続されるリード線Ｌ１，Ｌ２が設けられ、リード線Ｌ１，Ｌ２は一対の第１の端子５にそれぞれ接続されている。一対の第１の端子５は金属製のコイルスプリングで構成され、イオン発生ユニット３を一対の爪部１０に掛け止めたときに、第１の端子５が圧縮されて第１の端子５が第２の端子６と導通可能に接触する。
【００２４】
尚、通路壁ＡＷ側からイオン発生ユニット３を取り出すようにするには、図２に示すように、通路壁ＡＷに指を挿入可能な凹部１６を一対形成する。凹部１６の湾曲部１６Ａは樹脂で覆われるように構成し、凹部１６のイオン発生ユニット３側の部位１６Ｂは、イオン発生ユニット３の側面が露出するように開口し、イオン発生ユニット３の側面を一対の指で把持できるようにする。
【００２５】
このような構成によれば、通路壁ＡＷ側からイオン発生ユニット３を摘んで引き上げることにより容易にイオン発生ユニット３を取り外すことが出来ると共に、イオン発生ユニット３を装着するときも、開口部１２内にイオン発生ユニット３を挿入して開口部１２の奥に押し込めば爪部１０が凹部１１に入り込んでイオン発生ユニット３が支持ベース部２に支持されると共に、第１の端子５と第２の端子６とが導通可能に接触することとなる。
【００２６】
空気処理装置は、マイナスイオンのみを発生するイオン発生装置でも良く、光触媒装置のようなものでも良く、空気を何らかの形で清浄化又は処理するものであればよい。
【実施例】
【００２７】
次に、このイオン発生装置１の実施例を示す。図３はこのイオン発生装置１を装着した熱交換器付き換気装置４を示す。この換気装置４の筐体２０は取付金具２１及びボルト２２を介して天井壁２３に取り付けられている。換気装置４の下方には、天井パネル２４に形成された開口部２５が設けられており、開口部２５は蓋部２６によって開閉可能に閉鎖されている。蓋部２６を開けると換気装置４の調整等が可能になっている。換気装置４の前後の側壁部には建物の外側の空気を建物内部に取り入れるための給気口部２７、２８と建物の内部の空気を建物外部に排出する排気口部２９，３０とが形成されている。給気口部２７、２８と排気口部２９，３０にはそれぞれダクト３１〜３４が接続されている。給気口部２７にはダクト３１が接続され、排気口部２９にはダクト３３が接続されている。
【００２８】
図４は、戸建て住宅やマンションなどの個々の住宅を含む建物を示したものである。ダクト３１，３３は、図４に示す建物の入り口の上部の壁部に取り付けられた給排気口部３５の通気穴に接続されており、ダクト３１，３３は建物の外部に通じている。ダクト３２の部屋側の端部はダイニングリビングＬＲの天井部のグリル３６に接続されており、建物の外側の空気をダイニングリビングＬＲに供給する。換気装置４にはダクト３２の他に給気用のダクト３２Ａ、３２Ｂ、３２Ｃが接続されている。ダクト３２Ａの端部は和室Ｒ１の天井のグリル３７に接続され、ダクト３２Ｂは洋室Ｒ２の天井のグリル３８に接続され、ダクト３２Ｃは洋室Ｒ３の天井のグリル３９に接続されている。換気装置４はグリル３６〜３９から室内ＬＲ〜Ｒ３に建物外部の空気を供給する。
【００２９】
各室内に供給された空気は、各部屋のドアの下部に設けたアンダーカット部を通して建物の天井や壁面に設けられた吸気口ＲＡ１や換気装置４の本体天井面に設けられた吸気口ＲＡ２に吸い込まれ、この吸気口ＲＡ２に接続されるダクト３４から換気装置４の空間５１Ａに集められる。換気装置４に集められた室内の空気は遠心送風機５１によりダクト３３を介して建物の外側に排出される。
【００３０】
天井や壁面に設けられた室内空気吹出口であるグリル３６，３７，３８，３９にイオン発生装置１が図１のように取り付けられている。これにより、イオン発生体１により発生されたイオンを含んだ空気を室内に供給することができ、室内に供給する直前に外気や装置本体内に含まれた浮遊細菌を殺菌すると共に、室内に含まれる浮遊細菌を殺菌でき、室内空気の清浄化が図れる。又、室内側からイオン発生ユニット３が着脱可能となっている。
【００３１】
図３は換気装置４の構成を示す。図３に示すように、換気装置４の筐体２０の内部には、給気系の風路と排気系の風路を仕切る仕切壁４４が形成されており、仕切壁４４にモーター４５が取り付けられている。仕切壁４４の上部の給気系側の空間にはファンケース４６が取り付けられている。ファンケース４６には空気を吸引するための開口部４７が形成されている。仕切壁４４の排気系側の空間にはファンケース４８が取り付けられており、ファンケース４８には室内側の空気を吸引する開口部４９が形成されている。
【００３２】
モーター４５の回転軸は仕切壁４４の上下に突出しており、回転軸の両方にシロッコファンと称される遠心送風機５０、５１が取り付けられている。仕切壁４４の中央側の端部には熱交換素子５２が収納されている。熱交換素子５２は建物外部から建物内部に給気される空気を通す通路Ｐ１と、建物内部から建物外部に排気される空気を通す通路Ｐ２とがそれぞれ多数形成されている。この熱交換素子５２は、一定方向に延びる溝を有する波形の板を、溝の方向が直交するように多数積層して形成したものであり、周知の構成であるので、詳細な説明を省略する。図３の符号Ｆは、熱交換素子５２の外気を室内に導入する給気系の風路の面に設けられたフィルターと、熱交換素子５２の室内空気を戸外に排気する排気系の風路の面に網けっれたフィルターである。
【００３３】
イオン発生装置１は換気装置４の筐体２０の底板部２０Ａ（上述の通路壁ＡＷに該当する）に取り付けられている。その取付構造は、図１に示したとおりであり、既に説明しているので、その説明を用いる。
【００３４】
尚、図３の換気装置４では、仕切板４４の上に給気系の風路が設けられ、仕切板４４の下側に排気系との風路が設けられているが、図４のように、吸気口ＲＡ２を換気装置４の底板部に開口する場合には、図８に示すように、仕切板４４の上に排気系の風路を設け、仕切板４４の下に給気系の風路を設ける。仕切板４４の上に排気系の風路を設けると、図３のイオン発生ユニット３の設置位置に空気を吸い込む開口部を設けることができる。
【００３５】
図８は、図３の換気装置４の給気系の風路と排気系の風路とを上下を逆にしたものであるので、その他の構成については図３の換気装置４の説明を援用する。図８の換気装置４によれば、蓋板２６に排気用の開口部５１Ｂに臨む位置にダクトＤを設けて吸気口ＲＡ２を形成することができる。この場合、イオン発生ユニット３は熱交換素子５２に外気を取り込む前の底板部に着脱可能に設けることができる。
【００３６】
尚、図８の符号Ｆは、熱交換素子５２の外気を室内に導入する給気系の風路の面に設けられたフィルターと、熱交換素子５２の室内空気を戸外に排気する排気系の風路の面に設けられたフィルターであり、符号ＦＰはネジで蓋板２６に固定される化粧用のフロントパネルであり、蓋板２６の開口部ＲＡ２からフロントパネルＦＰの開口部から室内の空気は換気装置４内に吸い込まれて戸外に排気される。
【００３７】
次に、上述のイオン発生装置１を他の空調装置に設置した例を説明する。この空調装置は、換気、乾燥、涼風、暖房等の何れかの空調機能を有する浴室用空調装置としての浴室用換気装置である。図５は、上述のイオン発生素子１を空調装置としての浴室換気装置８０に設置した状態を示す。図６は図５の浴室換気装置８０の平面図、図７は図５の浴室換気装置８０の浴室側から見た底面図である。
【００３８】
浴室換気装置８０は、浴室天井８１の取付開口部８２内に配設され、浴室換気装置８０の周囲に矩形の枠体８３Ａが取り付けられており、この枠体８３Ａが浴室天井８１の上の天井壁８４に取り付けられたアンカーボルト８５に支持されている。
【００３９】
浴室換気装置８０の浴室内側には浴室の空気を浴室換気装置８０内部に取り込む導入開口部８６が形成されており、この導入開口部８６の中にいわゆるシロッコファンといわれる遠心送風機８７を内蔵するためのファンケース８８が設置されている。
【００４０】
導入開口部８６は空気の入出用開口部を備えた化粧用のフロントパネル８９によりカバーされる。ファンケース８８には空気を導入する吸引開口部９０と空気を排出する排気開口部９１とが形成されており、遠心送風機８７は吸引開口部９０から空気を吸い込んで排気吹出開口部９１から空気を排気又は循環するようになっている。
【００４１】
遠心送風機８７には、浴室換気装置８０の状部に設けられたモーターＭ１のシャフトＳが通されており、シャフトＳの先端部はナットにより固定されている。モーターＭ１は、図示しない制御装置の駆動電流により遠心送風機８７を回転させることにより、導入開口部８６及び吸引開口部９０から空気を吸い込んで排気開口部９１から排気する。
【００４２】
ファンケース８８の排気開口部９１の近傍には、前述のイオン発生装置１が組み込まれている。また、イオン発生装置１は、遠心送風機８７から送り出される空気の流速が早くなるファンケース８８の外周側壁部側に配置されている。イオン発生装置１はファンケース８８の平面部８８Ａに設置されている。イオン発生装置１のイオン発生面８は、上述のように遠心送風機８７の空気の流路Ａｐに並行に設置されている。
【００４３】
尚、イオン発生装置１は、ファンケース８８の略円周形状の湾曲した側壁部８８Ｂに設けても良い。イオン発生装置１の設置する向きは、空気の流路とイオン発生装置１の長手方向とを平行に揃えているが、空気の流路に対してイオン発生装置１の長手方向を直角に向けて、イオン発生面８からイオンを払拭する量を多くしてもよい。
【００４４】
浴室換気装置８０においてファンケース８８の排気開口部９１の下流側には、吸い込んだ空気をダクト９２を介して建物外部に排出するための排気風路９３と、吸い込んだ空気をダンパー９４により方向を変えて、浴室内に戻す循環風路９５とが設けられている。循環風路９５と排気風路９３との分岐部にダンパー９４が設けられている。
【００４５】
ダンパー９４は、浴室換気装置８０の状部に設けられたモーターＭ２（図６参照）と、モーターＭ２の動力を揺動運動に変換するギア機構Ｇｂ（図６参照）及びダンパー９４の回転軸に設けた図示しないリンク機構により、上下に揺動可能とされ、モーターＭ２が回転した回転数により所定の角度で停止するように制御される。
【００４６】
循環風路９５には、ヒーター３６が設けられており、浴室に環流する空気をヒーター９６で暖めることが出来るようになっている。
【００４７】
浴室換気装置８０の排気風路９３の排気口９７の周縁部には、ダクトジョイント９８が取り付けられる。ダクトジョイント９８は、排気口９７と同形同大の筒体形状を有しており、ダクト９２はダクトジョイント９８の外周部に装着され、図示しないアルミニウム粘着テープによりダクトジョイント９８の外周部に固定される。
【００４８】
この浴室換気装置８０では、モーターＭ１を駆動して遠心送風機８７を回転させると、導入開口部８６及び吸引開口部９０から浴室内の空気が吸い込まれて排気開口部９１から空気が排気される。遠心送風機８７によって空気を吸い込むときに、イオン発生装置１に通電すると、プラスイオン及びマイナスイオンが発生するので、ダンパー９４で循環風路９５を開けておけば、ファンケース８８及びダンパー９４の配設室９４Ａの壁面、循環風路９５の壁面、ヒーター９６及びフロントパネル８９が滅菌処理され、ダンパー９４で排気口９７を開ければ、ダクトジョイント９８の内壁、ダクト９２の内壁が滅菌される。
【００４９】
尚、ダンパー９４により循環風路９５と換気風路９３を切り換える構造としたが、ダンパー９４を用いずに、循環用の遠心送風機と換気用の遠心送風機を別々に設けて、共通若しくは単独の電動モーターによって回転させる浴室空調装置としての浴室換気装置にも適用が可能である。
【００５０】
このように浴室換気装置８０を上記構成とすることにより、特に湿度が高くカビが発生しやすい浴室内において、イオン発生量を増大させ、浴室内に浮遊する細菌を殺菌でき、カビ発生の抑制効果を得ることが出来る。
【産業上の利用可能性】
【００５１】
本願のイオン発生装置は、建物に設置される空気調和装置、空気清浄機、換気装置、浴室換気装置、グリル、加湿器その他の空気処理装置並びに自動車等の空気調和装置や空気清浄機等に適用することが出来る。
【図面の簡単な説明】
【００５２】
【図１】本発明の最良の実施の形態にかかるイオン発生装置の構成を示す図。
【図２】本体内側からイオン発生ユニットを取り出すための構成を示す図。
【図３】イオン発生装置を取り付けた換気装置の構成を示す図。
【図４】図３に示す換気装置を取り付けた建物のダクト配管構成を示す図。
【図５】浴室換気装置にイオン発生装置を適用した状態の構成を示す図。
【図６】図５の浴室換気装置の平面構成を示す図。
【図７】図５の浴室換気装置の底面構成を示す図。
【図８】図３の換気装置において給気系の風路と排気系の風路を上下逆にして配設した換気装置の構成を示す図。
【符号の説明】
【００５３】
１    イオン発生装置
２    ベース部
３    イオン発生ユニット
４    換気装置（空気処理装置）
５    第１の端子
６    第２の端子
７    イオン発生素子
８    イオン発生面
９    掛止機構
１０    爪部
１１    凹部
【図１】
2005172275.tif 000003
【図２】
2005172275.tif 000004
【図３】
2005172275.tif 000005
【図４】
2005172275.tif 000006
【図５】
2005172275.tif 000007
【図６】
2005172275.tif 000008
【図７】
2005172275.tif 000009
【図８】
2005172275.tif 000010